(57)【要約】      （修正有）【課題】誤って一つの往復葉書に他の個人情報が記載される等の事故が起こり得ず、その製造が極めて容易に行える往復葉書を提供する。【解決手段】往信葉書Ｖと返信葉書Ｗを折り線９から折り畳み往信葉書Ｖを上にした際に往信葉書Ｖが上から第一葉片１、第四葉片４、第八葉片８及び第五葉片５の順に重なる４葉片により形成され、返信葉書Ｗが上から第六葉片６、第七葉片７、第三葉片３及び第二葉片２の順に重なる４葉片により形成されており、前記往信葉書Ｖを構成する第一葉片１と第四葉片４及び第八葉片８と第五葉片５が疑似接着媒体を介して剥離可能に接着されると共に第四葉片４と第八葉片８が完全接着媒体を介して剥離不能に接着されており、また前記返信葉書Ｗを構成する４葉片が剥離不能に接着されていることを特徴とする。【選択図】図４
2019014219.tif 000002
【特許請求の範囲】
【請求項１】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書であって、
往信葉書と返信葉書を折り畳み往信葉書を上にした際に往信葉書が上から第一葉片、第四葉片、第八葉片及び第五葉片の順に重なる４葉片により形成され、返信葉書が上から第六葉片、第七葉片、第三葉片及び第二葉片の順に重なる４葉片により形成されており、
前記往信葉書を構成する第一葉片と第四葉片及び第八葉片と第五葉片が疑似接着媒体を介して剥離可能に接着されると共に第四葉片と第八葉片が完全接着媒体を介して剥離不能に接着されており、また前記返信葉書を構成する４葉片が剥離不能に接着されていることを特徴とした折り畳み往復葉書。
【請求項２】
往信葉書を構成する第一葉片及び第五葉片の横幅が第四葉片及び第八葉片より狭いため開封側縁辺に沿って段差を形成することを特徴とした請求項１に記載の折り畳み往復葉書。
【請求項３】
往信葉書を構成する第一葉片の左縁辺或いは上辺に沿って貫通孔が形成されたことを特徴とした請求項１に記載された折り畳み往復葉書
【請求項４】
少なくとも往信葉書の下辺が切除され開封可能となっていることを特徴とした請求項１乃至３に記載の折り畳み往復葉書。
【請求項５】
往信葉書本体の両面に貼付された第一葉片及び第五葉片を連接する下辺の折り線及び疑似接着媒体に開封手段を形成しておくことにより手で容易に破断して開封できるようにしたことを特徴とした請求項１乃至３に記載の折り畳み往復葉書。
【請求項６】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書であって、
往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、
前記往信葉書を構成する第四葉片と第三葉片及び第七葉片と第八葉片が疑似接着媒体を介して剥離可能に接着されると共に第三葉片と第七葉片が完全接着媒体を介して剥離不能に接着されており、また前記返信葉書を構成する４葉片が剥離不能に接着されていることを特徴とした折り畳み往復葉書。
【請求項７】
往信葉書を構成する第四葉片と第三葉片の縦幅が第七葉片よりも狭く往信葉書の上辺に沿って段差を形成することを特徴とした請求項６に記載の折り畳み往復葉書。
【請求項８】
往信葉書を構成する第四葉片の上辺或いは左縁辺に沿って貫通孔が形成されたことを特徴とした請求項６に記載の折り畳み往復葉書。
【請求項９】
少なくとも往信葉書の下辺が切除され開封可能となっていることを特徴とした請求項６乃至８に記載の折り畳み往復葉書。
【請求項１０】
往信葉書本体の両面に貼付された第四葉片及び第八葉片を連接する下辺の折り線及び疑似接着媒体に開封手段を形成しておくことにより手で容易に破断して開封できるようにしたことを特徴とした請求項６乃至８に記載の折り畳み往復葉書。
【請求項１１】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、
往信葉書と返信葉書を折り畳み往信葉書を上にした際に往信葉書が上から第一葉片、第四葉片、第八葉片及び第五葉片の順に重なる４葉片により形成され、返信葉書が上から第六葉片、第七葉片、第三葉片及び第二葉片の順に重なる４葉片により形成されており、
前記往信葉書を構成する第一葉片と第四葉片及び第八葉片と第五葉片が疑似接着媒体を介して剥離可能に接着されると共に第四葉片と第八葉片が完全接着媒体を介して剥離不能に接着されており、また前記返信葉書を構成する４葉片が剥離不能に接着された折り畳み往復葉書の製造方法であり、
前記単位往復葉書用紙を縦方向に連接すると共に両外側にマージナル部分を連接した長尺シートを繰り出すシートの繰り出し工程と、
繰り出された長尺シートの疑似接着予定面に疑似接着媒体を形成する及び完全接着予定面に完全接着媒体を形成する疑似接着媒体及び完全接着媒体の形成工程と、
疑似接着媒体及び完全接着媒体が形成された長尺シートの縦方向の折り線に折り手段を形成すると共に両外側のマージナル部分を切除する折り手段形成工程及びマージナル部分の切除工程と、
折り手段が形成されると共にマージナル部分が切除された長尺シートを中央の縦方向の折り線から二つ折りに折り畳む長尺シートの第一の折り畳み工程と、
折り畳まれた長尺シートを単位往復葉書用紙毎に天地の切取線から切除する単位往復葉書用紙の切り出し工程と、
切り出された単位往復葉書用紙を往信葉書と返信葉書が連接された状態に二つ折りする第二の折り畳み工程と、
往信葉書と返信葉書が連接された状態に二つ折りされた単位往復用紙の対向する疑似接着媒体同士及び完全接着媒体同士をそれぞれ接着する接着工程と、
疑似接着媒体同士及び完全接着媒体同士を接着した単位往復葉書用紙を往信葉書と返信葉書が対向するように二つ折りする第三の折り畳み工程とからなることを特徴とした折り畳み往復葉書の製造方法。
【請求項１２】
請求項１１の折り畳み往復葉書の製造方法における第三の折り畳み工程が、第二の折り畳み工程と接着工程の間に配置されたことを特徴とした折り畳み往復葉書の製造方法。
【請求項１３】
請求項１１及び１２の何れかに記載される折り畳み往復葉書の製造方法における折り手段形成工程及びマージナル部分の切除工程が、疑似接着媒体及び完全接着媒体の形成工程の上流側及び／又は下流側に配置されたことを特徴とした折り畳み往復葉書の製造方法。
【請求項１４】
少なくとも往信葉書の下辺を切除するための切除工程が接着工程の下流に配置されたことを特徴とした請求項１１乃至１３の何れかに記載の折り畳み往復葉書の製造方法。
【請求項１５】
第一葉片と第五葉片を連接する横方向の折り線及び／又は疑似接着媒体に開封手段を形成する開封手段形成工程が第一の折り畳み工程の上流側に配置されたことを特徴とした請求項１１乃至１４の何れかに記載の折り畳み往復葉書の製造方法。
【請求項１６】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、
往信葉書と返信葉書を折り畳み往信葉書を上にした際に往信葉書が上から第一葉片、第四葉片、第八葉片及び第五葉片の順に重なる４葉片により形成され、返信葉書が上から第六葉片、第七葉片、第三葉片及び第二葉片の順に重なる４葉片により形成されており、
前記往信葉書を構成する第一葉片と第四葉片及び第八葉片と第五葉片が疑似接着媒体を介して剥離可能に接着されると共に第四葉片と第八葉片が完全接着媒体を介して剥離不能に接着されており、また前記返信葉書を構成する４葉片が剥離不能に接着された折り畳み往復葉書の製造方法であり、
前記単位往復葉書用紙を印刷した枚葉シートを繰り出す枚葉シートの繰り出し工程と、
繰り出された枚葉シートの疑似接着予定面に疑似接着媒体を形成する及び完全接着予定面に完全接着媒体を形成する疑似接着媒体及び完全接着媒体の形成工程と、
疑似接着媒体及び完全接着媒体が形成された枚葉シートの縦方向の折り線に折り手段を形成すると共に両外側の縦方向の余白を切除する折り手段形成工程及び縦方向の余白の切除工程と、
折り手段が形成されると共に縦方向の余白が切除された枚葉シートを中央の縦方向の折り線から二つ折りに折り畳む枚葉シートの第一の折り畳み工程と、
折り畳まれた枚葉シートの横方向の余白を切除して単位往復葉書用紙毎に切り出す単位往復葉書用紙の切り出し工程と、
切り出された単位往復葉書用紙を往信葉書と返信葉書が連接された状態に二つ折りする第二の折り畳み工程と、
往信葉書と返信葉書が連接された状態に二つ折りされた単位往復用紙の対向する疑似接着媒体同士及び完全接着媒体同士をそれぞれ接着する接着工程と、
疑似接着媒体同士及び完全接着媒体同士を接着した単位往復葉書用紙を往信葉書と返信葉書が対向するように二つ折りする第三の折り畳み工程とからなることを特徴とした折り畳み往復葉書の製造方法。
【請求項１７】
請求項１６の折り畳み往復葉書の製造方法における、第三の折り畳み工程が第二の折り畳み工程と接着工程の間に配置されたことを特徴とした折り畳み往復葉書の製造方法。
【請求項１８】
請求項１６及び１７の何れかに記載される折り畳み往復葉書の製造方法における折り手段形成工程及び縦方向の余白の切除工程が、疑似接着媒体及び完全接着媒体の形成工程の上流側及び／又は下流側に配置されたことを特徴とした折り畳み往復葉書の製造方法。
【請求項１９】
少なくとも往信葉書の下辺を切除するための切除工程が接着工程の下流に配置されたことを特徴とした請求項１６乃至１８の何れかに記載の折り畳み往復葉書の製造方法。
【請求項２０】
第一葉片と第五葉片を連接する横方向の折り線及び／又は疑似接着媒体に開封手段を形成する開封手段形成工程が第一の折り畳み工程の上流側に配置されたことを特徴とした請求項１６乃至１９の何れかに記載の折り畳み往復葉書の製造方法。
【請求項２１】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、
往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、
前記往信葉書を構成する第四葉片と第三葉片及び第七葉片と第八葉片が疑似接着媒体を介して剥離可能に接着されると共に第三葉片と第七葉片が完全接着媒体を介して剥離不能に接着され、前記返信葉書を構成する４葉片が剥離不能に接着された折り畳み往復葉書の製造方法であって、
前記単位往復葉書用紙を縦方向に連接すると共に両外側にマージナル部分を連接した長尺シートを繰り出すシートの繰り出し工程と、
繰り出された長尺シートの疑似接着予定面に疑似接着媒体を形成する及び完全接着予定面に完全接着媒体を形成する疑似接着媒体及び完全接着媒体の形成工程と、
疑似接着媒体及び完全接着媒体が形成された長尺シートの縦方向の折り線に折り手段を形成すると共に両外側のマージナル部分を切除する折り手段形成工程及びマージナル部分の切除工程と、
折り手段が形成されると共にマージナル部分が切除された長尺シートを両外側の折り線から断面Ｓ（Ｚ）字状に三つ折りする長尺シートの第一の折り畳み工程と、
折り畳まれた長尺シートを単位往復葉書用紙毎に天地の切取線から切除する単位往復葉書用紙の切り出し工程と、
切り出された単位往復葉書用紙を往信葉書と返信葉書が連接された状態に二つ折りする第二の折り畳み工程と、
往信葉書と返信葉書が連接された状態に二つ折りされた単位往復用紙の対向する疑似接着媒体同士及び完全接着媒体同士をそれぞれ接着する接着工程と、
疑似接着媒体同士及び完全接着媒体同士を接着した単位往復葉書用紙を往信葉書と返信葉書が対向するように二つ折りする第三の折り畳み工程とからなることを特徴とした折り畳み往復葉書の製造方法。
【請求項２２】
請求項２１の折り畳み往復葉書の製造方法において、第三の折り畳み工程が第二の折り畳み工程と接着工程の間に配置されたことを特徴とした折り畳み往復葉書の製造方法。
【請求項２３】
請求項２１及び２２の折り畳み往復葉書の製造方法における折り手段形成工程及びマージナル部分の切除工程が、疑似接着媒体及び完全接着媒体の形成工程の上流側及び／又は下流側に配置されたことを特徴とした折り畳み往復葉書の製造方法。
【請求項２４】
少なくとも往信葉書の下辺を切除するための切除工程が接着工程の下流に配置されたことを特徴とした請求項２１乃至２３の何れかに記載の折り畳み往復葉書の製造方法。
【請求項２５】
第四葉片と第八葉片を連接する横方向の折り線及び／又は疑似接着媒体に開封手段を形成する開封手段形成工程が第一の折り畳み工程の上流側に配置されたことを特徴とした請求項２１乃至２４の何れかに記載の折り畳み往復葉書の製造方法。
【請求項２６】
縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、
往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、
前記往信葉書を構成する第四葉片と第三葉片及び第七葉片と第八葉片が疑似接着媒体を介して剥離可能に接着されると共に第三葉片と第七葉片が完全接着媒体を介して剥離不能に接着され、前記返信葉書を構成する４葉片が剥離不能に接着された折り畳み往復葉書の製造方法であって、
前記単位往復葉書用紙を印刷した枚葉シートを繰り出す枚葉シートの繰り出し工程と、
繰り出された枚葉シートの疑似接着予定面に疑似接着媒体を形成する及び完全接着予定面に完全接着媒体を形成する疑似接着媒体及び完全接着媒体の形成工程と、
疑似接着媒体及び完全接着媒体が形成された枚葉シートの縦方向の折り線に折り手段を形成すると共に両外側の縦方向の余白を切除する折り手段形成工程及び縦方向の余白の切除工程と、
折り手段が形成されると共に縦方向の余白が切除された枚葉シートを両外側の折り線から断面Ｓ（Ｚ）字状に三つ折りする枚葉シートの第一の折り畳み工程と、
折り畳まれた枚葉シートの横方向の余白を切除して単位往復葉書用紙毎に切り出す単位往復葉書用紙の切り出し工程と、
切り出された単位往復葉書用紙を往信葉書と返信葉書が連接された状態に二つ折りする第二の折り畳み工程と、
往信葉書と返信葉書が連接された状態に二つ折りされた単位往復用紙の対向する疑似接着媒体同士及び完全接着媒体同士をそれぞれ接着する接着工程と、
疑似接着媒体同士及び完全接着媒体同士を接着した単位往復葉書用紙を往信葉書と返信葉書が対向するように二つ折りする第三の折り畳み工程とからなることを特徴とした折り畳み往復葉書の製造方法。
【請求項２７】
請求項２６の折り畳み往復葉書の製造方法における第三の折り畳み工程が、第二の折り畳み工程と接着工程の間に配置されたことを特徴とした折り畳み往復葉書の製造方法。
【請求項２８】
請求項２６及び２７の何れかの折り畳み往復葉書の製造方法における折り手段形成工程及び縦方向の余白の切除工程が、疑似接着媒体及び完全接着媒体の形成工程の上流側及び／又は上下流側に分散して配置されたことを特徴とした折り畳み往復葉書の製造方法。
【請求項２９】
少なくとも往信葉書の下辺を切除するための切除工程が接着工程の下流に配置されたことを特徴とした請求項２６乃至２８の何れかに記載の折り畳み往復葉書の製造方法。
【請求項３０】
第四葉片と第八葉片を連接する横方向の折り線及び／又は疑似接着媒体に開封手段を形成する開封手段形成工程が第一の折り畳み工程の上流側に配置されたことを特徴とした請求項２６乃至２９の何れかに記載の折り畳み往復葉書の製造方法。
【発明の詳細な説明】
【技術分野】
【０００１】  本発明は、複数の葉片が折り畳まれ任意の対向面間を剥離可能或いは剥離不能に貼り合わせた折り畳み往復葉書及びその製造方法に関する。
詳しくは、本発明は、最近盛んに使用されている、見掛けは通常の往復葉書であるにもかかわらず、複数の葉片が折り畳まれると共に任意の対向面間を剥離可能或いは剥離不能に貼り合わせることにより、多くの情報を隠蔽状態で伝達することができる折り畳み往復葉書及びその製造方法に関する。
【背景技術】
【０００２】  従来、前記複数の葉片が折り畳まれ任意の対向面間を剥離可能或いは剥離不能に貼り合わせた往復葉書として、例えば特開２００３−８９２８８号公報に記載の往復葉書がある。前記特許文献に記載のものでは、２種類のシートを用いて両シートの返信葉書本体に当たる葉片を貼り合わせ、全体で５葉片からなる往復葉書が開示されている。
【先行技術文献】
【特許文献】
【０００３】
【特許文献１】特開２００３−８９２８８号公報
【発明の概要】
【発明が解決しようとする課題】
【０００４】  前記特許文献の往復葉書は２枚のシートを貼り合わせて製造される、従って個人情報が記載されたシートが誤って他の個人情報が記載されたシートと組み合わされて製造され、そのまま発送されると個人情報の漏洩となり大きな社会問題となり得る。【０００５】  また、現状、貼り合わせ往復葉書における可能な最多葉片数は、日本郵便株式会社における第二種郵便物の往復葉書の規定により、往信葉書本体と返信葉書のそれぞれ１葉片と、往信葉書本体の両面に貼付された各１葉片の合計４葉片が最多となる。また全体重量が４〜１２ｇであると共に往信葉書及び返信葉書の重量がそれぞれ２〜６ｇの範囲でなければならない。さらに３葉片が貼り合わされた往信葉書の中央葉片（往信葉書本体）が２〜６ｇの範囲になければならず、これら全ての要件を満足することで初めて郵便往復葉書として使用することが可能となる。【０００６】  前記往復葉書としての必須要件を満たすために前記特許文献の往復葉書は、返信葉書の重量不足を二枚のシートの貼り合わせで補っているが、往信葉書にはより多くの制限があり容易に全ての要件を満たすことは困難である。【０００７】  そこで２ｇ以上の葉片を連接して往復葉書とし、往信葉書葉片の両面に２ｇ以下の葉片を貼り合わせて、往復葉書（取り分け往信葉書）の重量規定をクリアする手段が考えられるが、異なる斤量の用紙を組み合わせて用いると、製造工程が非常に複雑になり手間が掛かると共に、依然として異なる用紙に打ち出された個人情報の整合性が問題となる。【０００８】  本発明は、上記問題に鑑み、誤って一つの往復葉書に他の個人情報が記載される等の事故が起こり得ず、仕上がり形態において往信葉書本体及び返信葉書本体が連接されると共に前記各本体が２ｇ〜６ｇの範囲に余裕を持って収まり、また往信葉書がその本体の両面に葉片が貼付された状態で２〜６ｇの範囲に余裕を持って収まるため、第二種郵便物の往復葉書規定を問題なく満たすと共に、その製造が極めて容易に行える往復葉書とその製造方法を提供することを目的としている。
【課題を解決するための手段】
【０００９】  上記問題を達成するために、本発明の請求項１に係る折り畳み往復葉書は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ往復葉書であって、往信葉書と返信葉書を折り畳み往信葉書を上にした際に往信葉書が上から第一葉片、第四葉片、第八葉片及び第五葉片の順に重なる４葉片により形成され、返信葉書が上から第六葉片、第七葉片、第三葉片及び第二葉片の順に重なる４葉片により形成されており、前記往信葉書を構成する第一葉片と第四葉片及び第八葉片と第五葉片が疑似接着媒体を介して剥離可能に接着されると共に第四葉片と第八葉片が完全接着媒体を介して剥離不能に接着されており、また前記返信葉書を構成する４葉片が剥離不能に接着されていることを特徴としている。【００１０】  なお、請求項２に記載される折り畳み往復葉書のように、第一葉片、第四葉片、第八葉片及び第五葉片の合計４葉片の貼り合わせからなる往信葉書は、中央の第四葉片と第八葉片が剥離不能に接着され往信葉書本体を構成している。そして前記往信葉書の本体の第四葉片とそれに剥離可能に貼付される第一葉片は、前記第四葉片よりも横幅が短く設計されているため第四葉片の開封側縁辺即ち左側縁辺が表出する状態で段差を形成し、そこに「郵便往復葉書」或いはそれに準じた文言が視認可能な状態で記載されていても構わない。【００１１】  また、請求項３に記載される折り畳み往復葉書のように、第一葉片と第四葉片が同じ幅の場合、第一葉片の前記文言に対応する位置に貫通孔を形成することで、前記文言は問題なく外部から視認することができる。なお前記貫通孔を第一葉片の上辺に沿って設け、第四葉片の前記貫通孔の位置に前記文言を記載しておいて外部から視認できるように設計しても構わない。また前記貫通孔の形状に格別な制限はない。要は貼り合わされて隠された下側葉片の文言が視認可能な状態になれば良いのである。【００１２】  さらに、請求項４に記載される折り畳み往復葉書のように、往信葉書本体の両面に貼付されている第一葉片及び第五葉片の下辺が横方向の折り線により連接され、前記往信葉書本体の下辺を袋状に包み込んだ状態となっているため、前記下辺を投函前に予め切除しておくことにより、受取人が切除道具を使用することなくそのまま容易に開封することを可能とすることもできる。【００１３】  さらにまた、請求項５に記載される折り畳み往復葉書のように、前記往信葉書本体の下辺を袋状に包み込んだ状態となっている第一葉片及び第五葉片を連接する横方向の折り線に破断用切取ミシンを形成しておいて、さらに疑似接着媒体にも破断可能な操作をしておくことにより受取人が切除道具を使用することなくそのまま容易に開封することを可能とすることもできる。その際疑似接着媒体が疑似接着フィルムシート等の場合、例えば疑似接着フィルムシートに複数��微細な貫通孔を設ける等の破断手段を付加することにより、前記切取ミシンの破断と共に疑似接着フィルムシートも破断され開封することができる。【００１４】  上記目的を達成するために、本発明の請求項６に記載される折り畳み往復葉書は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ往復葉書であって、往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、前記往信葉書を構成する第四葉片と第三葉片及び第七葉片と第八葉片が疑似接着媒体を介して剥離可能に接着されると共に第三葉片と第七葉片が完全接着媒体を介して剥離不能に接着されており、また前記返信葉書を構成する４葉片が剥離不能に接着されていることを特徴としている。【００１５】  なお、請求項７に記載される折り畳み往復葉書のように、第四葉片、第三葉片、第七葉片及び第八葉片の合計４葉片の貼り合わせからなる往信葉書は、中央の第三葉片と第七葉片が剥離不能に接着され往信葉書本体を構成している。そして前記往信葉書の本体の第三葉片とそれに剥離可能に貼付される第四葉片は、前記第七葉片よりも縦幅が短く設計されているため第七葉片の上辺が表出する状態で段差を形成し、そこに「郵便往復葉書」或いはそれに準じた文言が視認可能な状態で記載されていても構わない。【００１６】  また、請求項８に記載される折り畳み往復葉書のように、第七葉片と第三葉片及び第四葉片の縦幅が同じ場合、第四葉片の第三葉片に記載した前記文言に対応する位置に貫通孔を形成しておけば、前記文言は問題なく外部から視認することができる。なお既述の通り前記貫通孔の形状に格別な制限はない。要は貼り合わされて隠された下側葉片の文言が視認可能な状態になれば良いのである。【００１７】さらに、請求項９に記載される折り畳み往復葉書のように、往信葉書本体の両面に貼付されている第四葉片及び第八葉片の下辺が横方向の折り線により連接され、前記往信葉書本体の下辺を袋状に包み込んだ状態となっているため、前記下辺を投函前に予め切除しておくことにより、受取人が切除道具を使用することなくそのまま容易に開封することを可能とすることもできる。【００１８】  さらにまた、請求項１０に記載される折り畳み往復葉書のように、前記往信葉書本体の下辺を袋状に包み込んだ状態となっている第四葉片及び第八葉片を連接する横方向の折り線に破断用切取ミシンを形成しておいて、さらに疑似接着媒体にも破断可能な操作をしておくことにより受取人が切除道具を使用することなくそのまま容易に開封することを可能とすることもできる。その際疑似接着媒体が疑似接着フィルムシート等の場合、例えば疑似接着フィルムシートに複数の微細な貫通孔を設ける等の破断手段を付加することにより、前記切取ミシンの破断と共に疑似接着フィルムシートも破断され開封することができる。【００１９】  上記目的を達成するために、本発明の請求項１１に係る折り畳み往復葉書の製造方法は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、往信葉書と返信葉書を折り畳み往信葉書を上にした際に往信葉書が上から第一葉片、第四葉片、第八葉片及び第五葉片の順に重なる４葉片により形成され、返信葉書が上から第六葉片、第七葉片、第三葉片及び第二葉片の順に重なる４葉片により形成されており、  前記往信葉書を構成する第一葉片と第四葉片及び第八葉片と第五葉片が疑似接着媒体を介して剥離可能に接着されると共に第四葉片と第八葉片が完全接着媒体を介して剥離不能に接着されており、また前記返信葉書を構成する４葉片が剥離不能に接着された折り畳み往復葉書の製造方法であり、前記単位往復葉書用紙を縦方向に連接すると共に両外側にマージナル部分を連接した長尺シートを繰り出すシートの繰り出し工程と、繰り出された長尺シートの疑似接着予定面に疑似接着媒体を形成する及び完全接着予定面に完全接着媒体を形成する疑似接着媒体及び完全接着媒体の形成工程と、疑似接着媒体及び完全接着媒体が形成された長尺シートの縦方向の折り線に折り手段を形成すると共に両外側のマージナル部分を切除する折り手段形成工程及びマージナル部分の切除工程と、折り手段が形成されると共にマージナル部分が切除された長尺シートを中央の縦方向の折り線から二つ折りに折り畳む長尺シートの第一の折り畳み工程と、折り畳まれた長尺シートを単位往復葉書用紙毎に天地の切取線から切除する単位往復葉書用紙の切り出し工程と、  切り出された単位往復葉書用紙を往信葉書と返信葉書が連接された状態に二つ折りする第二の折り畳み工程と、往信葉書と返信葉書が連接された状態に二つ折りされた単位往復用紙の対向する疑似接着媒体同士及び完全接着媒体同士をそれぞれ接着する接着工程と、  疑似接着媒体同士及び完全接着媒体同士を接着した単位往復葉書用紙を往信葉書と返信葉書が対向するように二つ折りする第三の折り畳み工程とからなることを特徴としている。【００２０】  前記折り畳み往復葉書の製造方法において第三の折り畳み工程は、請求項１２に記載されるように、第二の折り畳み工程と接着工程の間に配置しても構わない。即ち接着工程の前に最終形態まで折り畳んでおくか、或いは手前の段階まで折り畳んでおいて接着工程を通過後に最終形態に仕上げるかの相違である。第三の折り畳み工程で最終形態に二つ折りされた往信葉書と返信葉書は接着されずフリーな状態である。【００２１】  前記折り畳み往復葉書の製造方法において折り手段形成工程は、請求項１３に記載されるように、疑似接着媒体及び完全接着媒体の形成工程の上下流の何れの側に配置しても構わない。即ち用紙を繰り出す以前に予め形成しておいても、また繰り出してから疑似接着媒体及び完全接着媒体の形成工程までの間で形成しても、或いは疑似接着媒体及び完全接着媒体の形成工程の上下流に振り分けて配置しておいて段階的に形成するようにしても構わない。【００２２】  前記折り畳み往復葉書の製造方法においてマージナル部分の切除工程も前記折り手段の形成工程と同様で、請求項１３に記載されるように、疑似接着媒体及び完全接着媒体の形成工程の上下流の何れの側に配置しても構わない。即ち用紙を繰り出す以前に予め切除しておいても、また繰り出してから疑似接着媒体及び完全接着媒体の形成工程までの間で切除しても、或いは疑似接着媒体及び完全接着媒体の形成工程の上下流に振り分けて配置しておいて段階的に切除するようにしても構わない。【００２３】  また請求項１４の折り畳み往復葉書の製造方法に記載されるよう、往信葉書の下辺部の袋とじ部分を切除する切除工程を接着工程の下流側に配置しておいて、投函前に予め切除を完了しておいて受取人の切除の手間を省いた折り畳み往復葉書を製造するようにしても構わない。【００２４】  さらにまた、請求項１５に記載される折り畳み往復葉書のように、往信葉書本体の両面に貼付されている第四葉片及び第八葉片の下辺は横方向の折り線により連接され、前記往信葉書本体の下辺を袋状に包み込んだ状態となっている。従って既述の通り下辺を切除して袋閉じ状態を開放すればよいのだが、例えば前記横方向の折り線に疑似接着媒体と共に破断用の切取ミシンを形成しておけば容易に手で破断して開封することができる。なおこの場合切り屑が発生しない。【００２５】  同様に使用される疑似接着媒体が疑似接着フィルムシート等の場合、例えば疑似接着フィルムシートにパンチング装置を使用して複数の微細な貫通孔を設ける等の破断手段を別工程で付加することにより、前記切取ミシンの破断と共に疑似接着フィルムシートも同時に破断され開封することができる。従って横方向の折り線に開封手段を形成する開封手段の形成工程と疑似接着媒体に開封手段を形成する開封手段の形成工程を折り畳み工程の上流側に配置しておいても構わない。なお横方向の折り線に予め切取ミシン等の破断手段を形成しておいたり、疑似接着フィルムシートに予め破断手段を形成したりしておけば前記開封手段の形成工程は省略することができる。【００２６】  上記目的を達成するために、本発明の請求項１６に係る折り畳み往復葉書の製造方法は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、往信葉書と返信葉書を折り畳み往信葉書を上にした際に往信葉書が上から第一葉片、第四葉片、第八葉片��び第五葉片の順に重なる４葉片により形成され、返信葉書が上から第六葉片、第七葉片、第三葉片及び第二葉片の順に重なる４葉片により形成されており、前記往信葉書を構成する第一葉片と第四葉片及び第八葉片と第五葉片が疑似接着媒体を介して剥離可能に接着されると共に第三葉片と第七葉片が完全接着媒体を介して剥離不能に接着され、前記返信葉書を構成する４葉片が剥離不能に接着された折り畳み往復葉書の製造方法であり、前記単位往復葉書用紙を印刷した枚葉シートを繰り出す枚葉シートの繰り出し工程と、繰り出された枚葉シートの疑似接着予定面に疑似接着媒体を形成する及び完全接着予定面に完全接着媒体を形成する疑似接着媒体及び完全接着媒体の形成工程と、疑似接着媒体及び完全接着媒体が形成された枚葉シートの縦方向の折り線に折り手段を形成すると共に両外側の縦方向の余白を切除する折り手段形成工程及び縦方向の余白の切除工程と、折り手段が形成されると共に縦方向の余白が切除された枚葉シートを中央の縦方向の折り線から二つ折りに折り畳む枚葉シートの第一の折り畳み工程と、折り畳まれた枚葉シートの横方向の余白を切除して単位往復葉書用紙毎に切り出す単位往復葉書用紙の切り出し工程と、切り出された単位往復葉書用紙を往信葉書と返信葉書が連接された状態に二つ折りする第二の折り畳み工程と、往信葉書と返信葉書が連接された状態に二つ折りされた単位往復用紙の対向する疑似接着媒体同士及び完全接着媒体同士をそれぞれ接着する接着工程と、疑似接着媒体同士及び完全接着媒体同士を接着した単位往復葉書用紙を往信葉書と返信葉書が対向するように二つ折りする第三の折り畳み工程とからなることを特徴としている。【００２７】  前記折り畳み往復葉書の製造方法において第三の折り畳み工程は、請求項１７に記載されるように、第二の折り畳み工程と接着工程の間に配置しても構わない。即ち接着工程の前に最終形態まで折り畳んでおくか、或いは手前の段階まで折り畳んでおいて接着工程を通過後に最終形態に仕上げるかの相違である。第三の折り畳み工程で最終形態に二つ折りされた往信葉書と返信葉書は接着されずフリーな状態である。【００２８】  前記折り畳み往復葉書の製造方法において折り手段形成工程は、請求項１８に記載されるように、疑似接着媒体及び完全接着媒体の形成工程の上下流の何れの側に配置しても構わない。即ち用紙を繰り出す以前に予め形成しておいても、また繰り出してから疑似接着媒体及び完全接着媒体の形成工程までの間で形成しても、或いは疑似接着媒体及び完全接着媒体の形成工程の上下流に振り分けて配置しておいて段階的に形成するようにしても構わない。【００２９】  前記折り畳み往復葉書の製造方法において縦方向の余白の切除工程も既述の折り手段形成工程と同様で、請求項１８に記載されるように、疑似接着媒体及び完全接着媒体の形成工程の上下流の何れの側に配置しても構わない。即ち用紙を繰り出す以前に予め切除しておいても、また繰り出してから疑似接着媒体及び完全接着媒体の形成工程までの間で切除しても、或いは疑似接着媒体及び完全接着媒体の形成工程の上下流に振り分けて配置しておいて段階的に切除するようにしても構わない。【００３０】  また請求項１９の折り畳み往復葉書の製造方法に記載されるよう、往信葉書の下辺部の袋とじ部分を切除する切除工程を接着工程の下流側に配置しておいて、投函前に予め切除を完了しておいて受取人の切除の手間を省いた折り畳み往復葉書を製造するようにしても構わない。【００３１】  さらに請求項２０の折り畳み往復葉書の製造方法に記載されるよう、第一葉片と第五葉片を連接する折り線に疑似接着媒体と共に破断用の切取ミシンを形成しておけば、受取人が切除道具を使用することなく手で容易に破断して開封することができる。また折り線に切取ミシンを形成しておいて、別に疑似接着媒体に破断手段を付加しておいても同様に破断して開封することができる。【００３２】  上記目的を達成するために、本発明の請求項２１に係る折り畳み往復葉書の製造方法は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、前記往信葉書を構成する第四葉片と第三葉片及び第七葉片と第八葉片が疑似接着媒体を介して剥離可能に接着されると共に第三葉片と第七葉片が完全接着媒体を介して剥離不能に接着され、前記返信葉書を構成する４葉片が剥離不能に接着された折り畳み往復葉書の製造方法であって、前記単位往復葉書用紙を縦方向に連接すると共に両外側にマージナル部分を連接した長尺シートを繰り出すシートの繰り出し工程と、繰り出された長尺シートの疑似接着予定面に疑似接着媒体を形成する及び完全接着予定面に完全接着媒体を形成する疑似接着媒体及び完全接着媒体の形成工程と、
疑似接着媒体及び完全接着媒体が形成された長尺シートの縦方向の折り線に折り手段を形成すると共に両外側のマージナル部分を切除する折り手段形成工程及びマージナル部分の切除工程と、折り手段が形成されると共にマージナル部分が切除された長尺シートを両外側の折り線から断面Ｓ（Ｚ）字状に三つ折りする長尺シートの第一の折り畳み工程と、
折り畳まれた長尺シートを単位往復葉書用紙毎に天地の切取線から切除する単位往復葉書用紙の切り出し工程と、切り出された単位往復葉書用紙を往信葉書と返信葉書が連接された状態に二つ折りする第二の折り畳み工程と、往信葉書と返信葉書が連接された状態に二つ折りされた単位往復用紙の対向する疑似接着媒体同士及び完全接着媒体同士をそれぞれ接着する接着工程と、疑似接着媒体同士及び完全接着媒体同士を接着した単位往復葉書用紙を往信葉書と返信葉書が対向するように二つ折りする第三の折り畳み工程とからなることを特徴としている。【００３３】  前記折り畳み往復葉書の製造方法において第三の折り畳み工程は、請求項２２に記載されるように、第二の折り畳み工程と接着工程の間に配置しても構わない。【００３４】  前記折り畳み往復葉書の製造方法における折り手段形成工程及びマージナル部分の切除工程の配置については、請求項２３に記載される通り疑似接着媒体及び完全接着媒体の形成工程の上下流の何れの側に配置しても構わない。【００３５】  また請求項２４の折り畳み往復葉書の製造方法に記載されるよう、往信葉書の下辺部の袋とじ部分を切除する切除工程を接着工程の下流側に配置しておいて、投函前に予め切除を完了しておいて受取人の切除の手間を省いた折り畳み往復葉書を製造するようにしても構わない。【００３６】  さらに請求項２５の折り畳み往復葉書の製造方法に記載されるよう、第四葉片と第八葉片を連接する折り線に疑似接着媒体と共に破断用の切取ミシンを形成しておけば、受取人が切除道具を使用することなく手で容易に破断して開封することができる。また折り線に切取ミシンを形成しておいて、別に疑似接着媒体に破断手段を付加しておいても同様に破断して開封することができる。【００３７】  上記目的を達成するために、本発明の請求項２６に係る折り畳み往復葉書の製造方法は、縦方向の折り線を介して横方向に連接された第一葉片、第二葉片、第三葉片及び第四葉片が前記縦方向の折り線を介して横方向に連接された第五葉片、第六葉片、第七葉片及び第八葉片と、横方向の折り線を介して前記第一葉片と第五葉片、第二葉片と第六葉片、第三葉片と第七葉片及び第四葉片と第八葉片がそれぞれ対向するように上下に配置された合計８葉片からなる単位往復葉書用紙を前記縦方向及び横方向の折り線から折り畳んだ折り畳み往復葉書の製造方法において、往信葉書と返信葉書を折り畳み往信葉書を上にした際に往信葉書が上から第四葉片、第三葉片、第七葉片及び第八葉片の順に重なる４葉片により形成され、返信葉書が上から第六葉片、第五葉片、第一葉片及び第二葉片の順に重なる４葉片により形成されており、前記往信葉書を構成する第四葉片と第三葉片及び第七葉片と第八葉片が疑似接着媒体を介して剥離可能に接着されると共に第三葉片と第七葉片が完全接着媒体を介して剥離不能に接着され、前記返信葉書を構成する４葉片が剥離不能に接着された折り畳み往復葉書の製造方法であって、前記単位往復葉書用紙を印刷した枚葉シートを繰り出す枚葉シートの繰り出し工程と、繰り出された枚葉シートの疑似接着予定面に疑似接着媒体を形成する及び完全接着予定面に完全接着媒体を形成する疑似接着媒体及び完全接着媒体の形成工��と、疑似接着媒体及び完全接着媒体が形成された枚葉シートの縦方向の折り線に折り手段を形成すると共に両外側の縦方向の余白を切除する折り手段形成工程及び縦方向の余白の切除工程と、折り手段が形成されると共に縦方向の余白が切除された枚葉シートを両外側の折り線から断面Ｓ（Ｚ）字状に三つ折りする長尺シートの第一の折り畳み工程と、折り畳まれた枚葉シートの横方向の余白を切除して単位往復葉書用紙毎に切り出す単位往復葉書用紙の切り出し工程と、切り出された単位往復葉書用紙を往信葉書と返信葉書が連接された状態に二つ折りする第二の折り畳み工程と、往信葉書と返信葉書が連接された状態に二つ折りされた単位往復用紙の対向する疑似接着媒体同士及び完全接着媒体同士をそれぞれ接着する接着工程と、疑似接着媒体同士及び完全接着媒体同士を接着した単位往復葉書用紙を往信葉書と返信葉書が対向するように二つ折りする第三の折り畳み工程とからなることを特徴としている。【００３８】  前記折り畳み往復葉書の製造方法において第三の折り畳み工程は、請求項２７に記載されるように、第二の折り畳み工程と接着工程の間に配置しても構わない。【００３９】  前記折り畳み往復葉書の製造方法における折り手段形成工程及び縦方向の余白の切除工程の配置については、請求項２８に記載される通り疑似接着媒体及び完全接着媒体の形成工程の上下流の何れの側に配置しても構わない。【００４０】  また請求項２９の折り畳み往復葉書の製造方法に記載されるよう、往信葉書の下辺部の袋とじ部分を切除する切除工程を接着工程の下流側に配置しておいて、投函前に予め切除を完了しておいて受取人の切除の手間を省いた折り畳み往復葉書を製造するようにしても構わない。【００４１】  さらに請求項３０の折り畳み往復葉書の製造方法に記載されるよう、第四葉片と第八葉片を連接する折り線に疑似接着媒体と共に破断用の切取ミシンを形成しておけば、受取人が切除道具を使用することなく手で容易に破断して開封することができる。また折り線に切取ミシンを形成しておいて、別に疑似接着媒体に破断手段を付加しておいても同様に破断して開封することができる。【００４２】  本発明の折り畳み往復葉書の剥離可能な疑似接着を実行するための疑似接着手段として以下がある。
１）印刷後の用紙の疑似接着予定面に疑似接着媒体として疑似接着性のＵＶ硬化型ニス      やエマルジョン型の弱粘着性の接着剤を塗布して疑似接着性の被膜を形成する、業      界で後糊方式と称される手段。
２）印刷前の用紙に予め天然ゴムや合成ゴムを主体とした疑似接着性媒体を塗工して含      侵させた用紙を使用する、業界で先糊方式（圧着紙）と称される手段。
３）疑似接着媒体として二軸延伸ポリプロピレンやポリエチレンテレフタレート等の基      材の一方の面に疑似接着層を形成した疑似接着フィルムシートを疑似接着予定面に      被覆する、プリントラミネートに対応した、業界でフィルム方式と称される手段。
なお従来使用されている弱粘着剤を疑似接着手段として使用しても構わない。【００４３】  また、本発明の折り畳み往復葉書で剥離不能な完全接着を実行する手段として以下がある。
１）感熱性、感圧性又は感湿性の接着剤を印刷後或いは印刷前の用紙の完全接着予定面      に塗布し、折り畳み完了後に加熱、加圧又は加湿等の条件を施して剥離不能に接着      する手段。
２）二軸延伸ポリプロピレンやポリエチレンテレフタレート等の基材の一方の面に、既      述の各種条件の付加により接着性を発揮する完全接着剤層を形成したフィルムシー      トを完全接着予定面に被覆して、折り畳み後加圧或いは加熱・加圧処理を施して剥      離可能に接着する手段する手段。
なお前記基材を使用する手段では、前記基材の両面に完全接着層を形成した両面接      着型のフィルムシートを使用しても構わない。【００４４】  なお、剥離可能な疑似接着及び剥離不能な完全接着は往復葉書の製造方法における接着工程で実行されるが、その際に両接着が同一条件の付加により実行されることが好ましい。例えばヒートローラ等による加熱・加圧処理で両接着を一挙に完了させたり、金属製の加圧ローラ等により加圧したりすることにより一挙に完了させることが好ましい。【００４５】  本発明の折り畳み往復葉書は、往信葉書の両面に貼付された葉片が往信葉書の下辺で折り線を介して連接されているため、往信葉書の下辺を包み込むように袋状に閉じた状態となっている。従ってこの部分を切除してから開封することになるが、その切除時期に関しては格別な制限はない。即ち受取後に受取人が手作業により切除して開封しても良く、或いは製造工程の例えば接着工程の下流に前記下辺の切除工程を配置しておいて、予め切除しておいてから発送しても構わない。【００４６】  前記切除に関して横方向の折り線に切り取りミシンや折りミシンを形成しておいて、さらに疑似接着媒体にも破断可能な操作を施しておくことにより、下辺を切除することなく折り線を疑似接着媒体と一緒に手で破断して開封できるように設計しても構わない。特に強靭な疑似接着被膜を形成するフィルム方式では、疑似接着フィルムシートに複数の貫通孔を形成して手で容易に破断が可能となる操作を加えておくと有効である。【００４７】  接着工程を経て往信葉書と返信葉書が平面に展開された状態の往復葉書は、第三の折り畳み工程により二つ折りに畳まれるのであるが、前記第三の折り畳み工程は一連の流れからなるシステムと異なる個別の折り機等により折り畳んでも構わない。また折り機を使わず内職による手折作業で折り畳んでも構わない。【００４８】  また第二の折り畳み工程と第三の折り畳み工程を繋げ、往信葉書と返信葉書が二つ折りされた最終状態まで仕上げた後に圧着工程へ送り込んでも構わない。第三の折り畳み工程の配置に関しては疑似接着手段の種類により選択することができる。例えば後糊方式とフィルム方式の場合何れの配置も採用可能であるが、先糊方式の場合は接着工程の前で最終状態まで折り畳み接着すると、往信葉書と返信葉書までが接着してしまうため接着工程の後に配置する必要がある。【００４９】  本発明の往復葉書の製造方法は、長尺シート或いは枚葉シートにおいては各種疑似接着媒体或いは完全接着媒体の連続形成により長尺状態にしておいて、各製造工程を連続的な流れで加工することが好ましいが、例えば各加工作業（ラミネート作業、断裁作業、折り作業、接着作業）ごとに専用加工機を使用して個別に分散して行っても構わない。なお個別に分散して往復葉書を製造する際に、疑似接着媒体の種類により若干工程が分かれる。【００５０】  本発明の折り畳み往復葉書に使用される用紙は、４葉片が貼り合わせた状態の往信葉書及び返信葉書の各本体重量が２〜６ｇとなり、また往信葉書の重量が２葉片を貼り合わせた本体とその両面に貼付された葉片の合計４葉片で２〜６ｇであればよい。そのような条件を満足する用紙として、例えば斤量が四六伴で４���〜５５ｋｇ前後の用紙を好適に使用することができる。前記用紙で規定サイズの往復葉書を製造すると、往信葉書が大よそ５〜６ｇ、返信葉書が大よそ２〜３ｇの範囲に収まる。【００５１】  往復葉書に使用される用紙は、例えば上質紙、マット紙、コート紙等を好適に使用することができるが、そのほかに合成紙、不織布及び各種樹脂からなるフィルムシート等を使用しても構わない。また斤量に関しては前記四六判で４５ｋｇ以外に、４５〜７０ｋｇの範囲の用紙や規定重量範囲に入るように調整した特漉き用紙を使用しても構わない。
【発明の効果】
【００５２】  本発明の往復葉書によれば、個人情報が打ち出された一枚の用紙を折り畳み製造するため、複数の別体からなる用紙を貼り合わせ加工する場合に生じる、異なる個人情報が記載された用紙を貼り合わせてしまう事故がない。従って個人情報の漏出を確実に防ぐことができる。【００５３】  また往信葉書及び返信葉書の各本体が連接されているため、第二種郵便物の往復葉書の規定に反することはなく、使用に際して何ら問題はない。【００５４】  さらに往信葉書及び返信葉書の各本体が貼り合わせのため重量を稼ぎやすく、従って２ｇ〜６ｇの範囲に余裕を持って収まると共に、往信葉書も本体の両面に単片からなる葉片が貼付されるため全体として重量オーバーの心配がなく２〜６ｇの範囲に余裕を持って収まる。【００５５】  さらにまた、本発明の往復葉書の製造方法によれば、６葉片の複雑な折り畳みにより構成されているにも関わらず、素人でも簡単に大量な往復葉書を短時間で容易に製造することができる。
【図面の簡単な説明】
【００５６】
【図１】（Ａ）は折り畳み往復葉書Ｊ１の表面図、（Ｂ）は裏面図である。
【図２】（Ａ）は図１（Ａ）における▲１▼−▲１▼線断面図、（Ｂ）は▲２▼−▲２▼線断面図である。
【図３】（Ａ）は往信葉書Ｖと返信葉書Ｗを開いた状態の表面図、（Ｂ）は裏面図である。
【図４】（Ａ）は図３（Ａ）における▲３▼−▲３▼線断面図、（Ｂ）は▲４▼−▲４▼線断面図、（Ｃ）は▲５▼−▲５▼線断面図である。
【図５】（Ａ）は折り畳み往復葉書Ｊ１の斜視図、（Ｂ）は切取線から下辺を切除した状態を示す斜視図である。
【図６】折り畳み往復葉書Ｊ１の往信葉書Ｖを剥離展開した様子を示す斜視図である。
【図７】
2019014219.tif 000003
【図８】（Ａ）は折り畳み往復葉書Ｊ１の製造に使用する単位折り畳み往復葉書用紙Ｓ１の表面図、（Ｂ）は裏面図である。
【図９】（Ａ）は折り畳み往復葉書用紙Ｓ１の表面に完全接着フィルムシートＫが所定の位置に被覆された様子を示す表面図、（Ｂ）は完全接着フィルムシートＫ及び疑似接着フィルムシートＧが所定の位置に被覆された様子を示す裏面図である。
【図１０】第一の折り畳み装置により折り線１０から二つ折りに折り畳まれた単位折り畳み往復葉書用紙Ｓ１の平面図、（Ｂ）は（Ａ）における▲７▼−▲７▼線断面図である。
【図１１】（Ａ）は折り畳み往復葉書Ｊ２の表面図、（Ｂ）は裏面図である。
【図１２】（Ａ）は図１１（Ａ）における▲８▼−▲８▼線断面図、（Ｂ）は▲９▼−▲９▼線断面図である。
【図１３】（Ａ）は往信葉書Ｖと返信葉書Ｗを開いた状態の表面図、（Ｂ）は裏面図である。
【図１４】（Ａ）は図１３（Ａ）における▲１０▼−▲１０▼線断面図、（Ｂ）は▲１１▼−▲１１▼線断面図、（Ｃ）は▲１２▼−▲１２▼線断面図である。
【図１５】（Ａ）は折り畳み往復葉書Ｊ２の斜視図、（Ｂ）は切取線から下辺を切除した状態を示す斜視図である。
【図１６】折り畳み往復葉書Ｊ２の往信葉書Ｖを剥離展開した様子を示す斜視図である。
【図１７】
2019014219.tif 000004
【図１８】（Ａ）は折り畳み往復葉書Ｊ２の製造に使用する単位折り畳み往復葉書用紙Ｓ２の表面図、（Ｂ）は裏面図である。
【図１９】（Ａ）は折り畳み往復葉書用紙Ｓ２の表面に完全接着フィルムシートＫが所定の位置に被覆された様子を示す表面図、（Ｂ）は完全接着フィルムシートＫ及び疑似接着フィルムシートＧが所定の位置に被覆された様子を示す裏面図である。
【図２０】第一の折り畳み装置により折り線２９及び３１から断面Ｚ字状に折り畳まれた単位折り畳み往復葉書用紙Ｓ２の平面図、（Ｂ）は（Ａ）における▲１４▼−▲１４▼線断面図である。
【発明を実施するための形態】
【００５７】  以下、本発明の実施の形態を図面に基づいて具体的に説明する。
なお、以下実施例では、疑似接着媒体にフィルム方式を元に記載するが、使用される疑似接着フィルムシート及び完全接着媒体に完全接着フィルムシートの構成は後述する実施例の中で詳細に述べることとする。
［実施例１：折り畳み往復葉書Ｊ１］
図１乃至図６に示すように本実施例の折り畳み往復葉書Ｊ１は、往信葉書Ｖと返信葉書Ｗが折り線９及び１１で連接され二つ折りに折り畳まれている。そして図２（Ａ）、（Ｂ）及び図４（Ａ）、（Ｂ）、（Ｃ）に示すように、往信葉書Ｖは第一葉片１、第四葉片４、第八葉片８及び第五葉片５の４葉片が重ね合わされており、返信葉書Ｗは第六葉片６、第七葉片７、第三葉片３及び第二葉片２の４葉片が重ね合わされている。
【００５８】  なお、前記往信葉書を構成する４葉片及び返信葉書を構成する４葉片の合計８葉片からなる単位往復葉書用紙は、折り畳まれる前は後述する折り畳み往復葉書Ｊ１の製造方法の図８（Ａ）及び（Ｂ）に記載されるような平面状態であり、その状態から縦横に折り畳まれることにより折り畳み往復葉書Ｊ１が完成されている。
【００５９】  そして往信葉書本体の第四葉片４及び第八葉片８に貼付された第一葉片１及び第五葉片５は、前記本体よりも横幅が狭く開封側縁辺に沿って段差を形成し、前記段差から突出して表出した第四葉片４の表面には「郵便往復葉書」の文言が記載されており、外部から視認可能な状態となっている。
【００６０】  なお、前記４葉片からなる往信葉書Ｖは、第一葉片１と第四葉片４及び第八葉片８と第五葉片５が剥離可能に接着され、第四葉片４と第八葉片８が剥離不能に接着されている。また、前記４葉片からなる返信葉書Ｗは全ての対向面同士が剥離不能に接着されて一枚の状態になっている。
【００６１】  前記剥離可能な接着は疑似接着予定面に被覆された疑似接着フィルムシートＧにより実行されているが、その構成は、例えば二軸延伸ポリプロピレンを基材として、その一方の面に公知の感熱接着剤層が形成され、残るもう一方の面に疑似接着層が形成されたサーマルラミネート法に対応したプリントラミネート用の疑似接着フィルムシートを好適に使用することができる。
【００６２】  前記疑似接着フィルムＧを印刷用紙の疑似接着予定面に感熱接着剤層を介して被覆して、その後疑似接着層同士が対向するように折り畳み、加圧或いは加熱・加圧処理を施すことで剥離可能に接着することができる。そして前記工程を経過した印刷用紙は手で容易に剥離して開くことができるのである。
【００６３】  また前記剥離不能な接着は完全接着予定面に被覆された完全接着フィルムシートＫにより実行されているが、その構成は、例えば二軸延伸ポリプロピレンを基材として、その一方の面に公知の感熱接着剤層が形成され、残るもう一方の面にヒート処理層が形成されたサーマルラミネート法に対応したプリントラミネート用の完全接着フィルムシートを好適に使用することができる。
【００６４】  前記完全接着フィルムＫを印刷用紙の完全接着予定面に感熱接着剤層を介して被覆して、その後ヒート処理層同士が対向するように折り畳み、加圧或いは加熱・加圧処理を施すことで剥離不能に接着することができる。
【００６５】  この折り畳み往復葉書Ｊ１の受取人は図５（Ａ）及び（Ｂ）に示すように、少なくとも往信葉書Ｖの下辺部に沿って記載されている切取線１３を、鋏やカッター等の切除道具を用いて切除する。そして図６に示すように、往信葉書本体の第四葉片４及び第八葉片８に剥離可能に貼り付けられた第一葉片１及び第五葉片５を引き剥がし、内部に記載されている各種情報を透明或いは半透明の疑似接着フィルムシートＧを通して視認する。そして例えば内部に記載されているアンケートの質問の回答を、返信葉書Ｗに記載されている回答欄に記入した後に、図３（Ａ）、（Ｂ）或いは図４（Ａ）に記載される往信葉書Ｖと返信葉書Ｗを連接する折り線９から切り離して投函するのである。
【００６６】  なお、前記実施例では、受取人が少なくとも往信葉書Ｖの下辺を切除することで開封可能としているが、切取線１３に切り取りミシン等の開封手段を予め設けておくことにより切除道具を使用することなく切落せるよう設計しても構わない。
【００６７】  また、切取線１３の表示をなくし、下辺の折り線１２に切取ミシン等の開封手段を施すと共に、例えば内部の疑似接着フィルムシートＧにも破断手段としての複数の微細な貫通孔を設けておけば、折り線１２と疑似接着フィルムシートを同時に手で破断して剥離開封でき切除屑も出ない。
【００６８】  さらに製造工程中に予め切除しておいて、受取人が受け取る時には既に開封できるようにしておいても構わない。往信葉書Ｖの下辺は封緘された状態でも、或いは当初から開封可能な状態であっても構わないのである。
【００６９】  また前記実施例では往信葉書Ｖを構成する４葉片の横幅が第一葉片１≒第五葉片５＜第四葉片４≒第八葉片８の関係にあるが、例えば図７（Ａ）及び（Ｂ）に示す折り畳み往復葉書Ｊ１´のように、４葉片の横幅を略同じくして、第一葉片の開封側縁辺に沿って貫通孔１４を形成することにより、第四葉片４の前記貫通孔と対応する位置に記載されている「郵便往復葉書」の文言を視認できるように設計しても構わない。さらに同図（Ｃ）に示す往
2019014219.tif 000005
する第四葉片４の前記貫通孔１４に対応する位置に記載された前記文言が視認できるようにしても構わない。何れの場合も往信葉書Ｖの本体の左縁辺或いは上縁辺に沿って「郵便往復葉書」の文言が記載されており内国郵便約款のはがき（第二種郵便物）の往復はがきの規定を満足している。
【００７０】［実施例２：折り畳み往復葉書Ｊ１の製造方法］
図８（Ａ）及び（Ｂ）に示すように本実施例で使用する単位復葉書用紙Ｓ１は、縦方向の折り線９、１０及び１１を介して横方向に連接された第一葉片１、第二葉片２、第三葉片３及び第四葉片４が、同様に前記縦方向の折り線を介して横方向に連接された第五葉片５、第六葉片６、第七葉片７及び第八葉片８と、横方向の折り線１２を介して上下に連接されている。なお第一葉片１と第五葉片５は他の葉片の横幅より狭く設計されている。
【００７１】  前記単位往復葉書用紙Ｓ１をビジネスフォーム印刷で印刷する場合、切取線を介して前記単位往復葉書用紙Ｓ１が上下方向に印刷された長尺シートとなり、その両外側にはマージナル孔を設けたマージナル部分が設けられる。またオフセット印刷で印刷する場合、単数又は加工工程の流れ方向に位置を合わせて複数丁印刷された枚葉シートとなり、単位往復葉書用紙Ｓ１は四周を余白で囲まれた状態となる。
【００７２】  長尺シート或いは枚葉シートに印刷された単位往復用紙Ｓ１は、順次繰り出されると次に一対のヒートローラからなる疑似接着媒体及び完全接着媒体形成工程へ送り込まれる。なお、本実施例では疑似接着媒体と完全接着媒体に疑似接着フィルムシートと完全接着フィルムシートを使用している。そして前記疑似接着媒体及び完全接着媒体形成工程で図９（Ａ）に斜線で示すように、表側に完全接着フィルムシートＫが連続的に被覆されると共に、裏側は同図（Ｂ）に示すように、中央の４葉片に完全接着フィルムシートＫが、両外側の葉片には疑似接着フィルムシートＧが斜線で示す状態に連続的に被覆される。これにより枚葉シートの場合も連続状態となる。
【００７３】  各種フィルムシートが被覆された単位往復葉書用紙Ｓ１は、次に長尺シートであれば両外側のマージナル部分が切除され、枚葉シートであれば縦方向（流れ方向）の余白が切除される。それと共に中央の折り線１０に折りミシンが形成されさらに折り線９及び１１に折り筋が形成される。
【００７４】  流れ方向の切除が完了すると共に折り線に各種折り手段が形成された長尺或いは枚葉シートは、次に第一の折り畳み工程により図１０（Ａ）及び（Ｂ）に示すように中央の折り線から各葉片の裏面同士が対向するように二つ折りされる。
【００７５】  そして前記折り畳まれた長尺或いは枚葉シートから単品の単位往復葉書用紙Ｓ１が切り出される。その工程は単位往復葉書用紙Ｓ１が長尺シートに印刷された場合、両外側のマージナル部分をスリッタ等で切除して、天地方向連接部分をダイカットローラ等により裁断することで完了できる。また単位往復葉書用紙Ｓ１が枚葉シートに印刷された場合、横方向の余白をスリッタ或いはギロチン式断裁機等により切除することで完了できる。
【００７６】  前記切り出された単位往復葉書用紙Ｓ１は、第二の折り畳み工程で横方向の折り線１２から二つ折りに折り畳まれ、図３（Ａ）、（Ｂ）及び図４（Ａ）に示すように、連接された往信葉書Ｖと返信葉書Ｗが平面に展開された状態となる。そしてその状態で、例えば複数のヒータパネルやヒートローラからなる接着装置等による接着工程で、加熱・加圧処理を施されることにより、対向する疑似接着予定面及び完全接着予定面がそれぞれ接着される。
【００７７】  前記接着工程から排出された平面に展開された状態の折り畳み往復葉書Ｊ１は、次に第三の折り畳み工程により、前記平面状態から図１（Ａ）、（Ｂ）及び図２（Ａ）、（Ｂ）に示すように最終の二つ折り状態に折り畳まれ折り畳み往復葉書Ｊ１として完成し投函されるのである。
【００７８】  前記投函された折り畳み往復葉書Ｊ１の受取人は、往信葉書Ｖの下辺を鋏やカッター等の切除道具で切除すればその内部に隠されていた情報を視認することができる。なお、前記切除の手間を省くために製造工程の何れかの箇所で切除しておいて、そのまま投函しても構わない。また、往信葉書Ｖ下辺の開封を手で行えるようにするために、切取線１３或いは折り線１２に切取ミシン等の破断処理を施しておいても構わず、その際例えば工程の最上流に既に切取ミシン加工が施されたシートを配置すれば工程を付加することがなく至便である。また第一の折り畳み工程の上流の何れかの箇所で切取ミシンを施すようにしても構わない。
【００７９】  また本実施例に記載されるように疑似接着媒体が疑似接着フィルムシートＧ等の強靭な被膜の場合、疑似接着フィルムシートＧをその繰り出しからヒートロールまでの間で、例えば複数の兼山の針状の突起が表面に形成されたローラと、前記針状の突起を押し当てるゴムローラの組み合わせからなるパンチングローラを通過させることにより、複数の微細な貫通孔を形成し容易に破断できるように加工しておいても構わない。そうしておけば切取ミシンの破断と共に疑似接着フィルムシートＧも破断されるため、受取人は切除道具を使用することなく容易に手で開封することができるのである。なおこれらの開封手段の形成に関しては以下の各折り畳み往復葉書の製造方法に係る実施例でも同様である。
【００８０】［実施例３：折り畳み往復葉書Ｊ２］
図１１乃至図１６に示すように本実施例の折り畳み往復葉書Ｊ２は、往信葉書Ｖと返信葉書Ｗが折り線３０で連接され二つ折りに折り畳まれている。そして図１２（Ａ）、（Ｂ）及び図１４（Ａ）、（Ｂ）、（Ｃ）に示すように、往信葉書Ｖは第四葉片２４、第三葉片２３、第七葉片２７及び第八葉片２８の４葉片が重ね合わされており、返信葉書Ｗは第六葉片２６、第五葉片２５、第一葉片２１及び第二葉片２２の４葉片が重ね合わされている。
【００８１】  なお、前記往信葉書を構成する４葉片及び返信葉書を構成する４葉片の合計８葉片からなる単位往復葉書用紙Ｓ２は、折り畳まれる前は後述する折り畳み往復葉書Ｊ２の製造方法の図１８（Ａ）及び（Ｂ）に示す平面状態であり、その状態から縦横に折り畳まれることにより折り畳み往復葉書Ｊ２が完成されている。
【００８２】  そして往信葉書本体Ｊ２本体の第三葉片２３及び第七葉片２７に第四葉片２４及び第八葉片２８が貼付されており、第七葉片２７と第八葉片２８より縦幅の狭い第四葉片２４と第三葉片２３により天辺に沿って段差を形成している。そして前記段差により突出して表出した第七葉片２７の表面には「郵便往復葉書」の文言が記載されており、外部から視認可能な状態となっている。
【００８３】  なお、前記４葉片からなる往信葉書Ｖは、第四葉片２４と第三葉片２３及び第七葉片２７と第八葉片２８が剥離可能に接着され、第三葉片２３と第七葉片２７が剥離不能に接着されている。また、前記４葉片からなる返信葉書Ｗは全ての対向面同士が剥離不能に接着されて一枚の状態になっている。
【００８４】  この折り畳み往復葉書Ｊ２の受取人は図１５（Ａ）及び（Ｂ）に示すように、少なくとも往信葉書Ｖの下辺部に沿って記載されている切取線３３を、鋏やカッター等の切除道具を用いて切除する。そして図１６に示すように、往信葉書本体の第三葉片２３及び第七葉片２７に剥離可能に貼り付けられた第四葉片２４及び第八葉片２８を引き剥がし、内部に記載されている各種情報を透明或いは半透明の疑似接着フィルムシートＧを通して視認する。そして例えば内部に記載されているアンケートの質問の回答を、返信葉書Ｗに記載されている回答欄に記入した後に、図１３（Ａ）、（Ｂ）或いは図１４（Ａ）、（Ｂ）に記載される往信葉書Ｖと返信葉書Ｗを連接する折り線３０から切り離して投函するのである。
【００８５】  なお、前記実施例では、受取人が少なくとも往信葉書Ｖの下辺を切除することで開封可能としているが、切取線３３に切り取りミシンを予め設けておくことにより切除道具を使用することなく切落せるよう設計しても構わない。また、切取線３３の表示をなくし、下辺の折り線３２に切取ミシン等の容易に破断可能な加工を施すと共に、内部の疑似接着フィルムシートＧに複数の貫通孔を設けておけば、容易に手で破断して剥離開封できるため切除道具を必要とせず且切除屑も出ない。さらに製造時に予め切除しておいて受取人が受け取る時に既に開封できるようにしても構わない。往信葉書Ｖの下辺は封緘された状態でも、或いは当初から開封可能な状態であっても構わないのである。
【００８６】  また前記実施例では往信葉書Ｖを構成する４葉片の縦幅が第四葉片２４≒第三葉片２３＜第七葉片２７≒第八葉片２８の関係にあるが、例えば図１７（Ａ）及び（Ｂ）に示す折り畳み往復葉書Ｊ２´のように、４葉片の縦幅を略同じくして、第四葉片２４の開封側縁辺に沿って貫通孔３４を形成することにより、第三葉片２３の前記貫通孔と対応する位置に記載されている「郵便往復葉書」の文言を視認できるように設計しても構わない。さらに
2019014219.tif 000006
しておいて、下に位置する第三葉片２３の前記貫通孔３４に対応する位置に記載された前記文言が視認できるようにしても構わない。何れの場合も往信葉書Ｖの本体の左縁辺或いは上縁辺に沿って「郵便往復葉書」の文言が記載されており内国郵便約款のはがき（第二種郵便物）の往復はがきの規定を満足している。
【００８７】［実施例４：折り畳み往復葉書Ｊ２の製造方法］
図１８（Ａ）及び（Ｂ）に示すように本実施例で使用する単位復葉書用紙Ｓ２は、縦方向の折り線２９、３０及び３１を介して横方向に連接された第一葉片２１、第二葉片２２、第三葉片２３及び第四葉片２４が、同様に前記縦方向の折り線を介して横方向に連接された第五葉片２５、第六葉片２６、第七葉片２７及び第八葉片２８と、横方向の折り線３２を介して上下に連接されている。なお第一葉片２１から第四葉片２４までは他の葉片の縦幅より狭く設計されている。
【００８８】  前記単位往復葉書用紙Ｓ２をビジネスフォーム印刷で印刷する場合、切取線を介して前記単位往復葉書用紙Ｓ２が上下方向に印刷された長尺シートとなり、その両外側にはマージナル孔を設けたマージナル部分が設けられる。またオフセット印刷で印刷する場合、単数又は加工工程の流れ方向に位置を合わせて複数丁印刷された枚葉シートとなり、単位往復葉書用紙Ｓ２は四周を余白で囲まれた状態となる。
【００８９】  長尺シート或いは枚葉シートに印刷された単位往復用紙Ｓ２は、順次繰り出されると次に一対のヒートローラからなる疑似接着媒体及び完全接着媒体形成工程へ送り込まれる。なお、本実施例では疑似接着媒体と完全接着媒体に疑似接着フィルムシートと完全接着フィルムシートを使用している。そして前記疑似接着媒体及び完全接着媒体形成工程で図１９（Ａ）に斜線で示すように、表側に完全接着フィルムシートＫが連続的に被覆されると共に、裏側は同図（Ｂ）に示すように、疑似接着フィルムシートＧと完全接着フィルムシートＫが連続的に被覆される。これにより枚葉シートの場合も連続状態となる。
【００９０】  各種フィルムシートが被覆された単位往復葉書用紙Ｓ２は、次に長尺シートであれば両外側のマージナル部分が切除され、枚葉シートであれば前記単位往復葉書用紙Ｓ２が印刷された周囲の縦方向（流れ方向）の余白が切除される。それと共に中央の折り線３０に折り筋が形成されさらに折り線２９及び３１に折りミシンが形成される。
【００９１】  流れ方向の切除が完了すると共に折り線に各種折り手段が形成された長尺或いは枚葉シートは、次に第一の折り畳み工程により図２０（Ａ）及び（Ｂ）に示すように、折り線３１から第四葉片２４と第三葉片２３が、また折り線２９から第二葉片２２と第一葉片２１がそれぞれ対向するよう断面Ｚ字状に折り畳まれる。
【００９２】  そして次に前記折り畳まれた長尺シート或いは枚葉シートから単品の単位往復葉書用紙Ｓ２が切り出される。その工程は単位往復葉書用紙Ｓ２が長尺シートに印刷された場合、天地方向連接部分をダイカットローラ等により裁断することで完了できる。また単位往復葉書用紙Ｓ２が枚葉シートに印刷された場合、前記単位往復葉書用紙Ｓ２が印刷された周囲の横方向の余白をスリッタ或いはギロチン式断裁機等により切除することで完了できる。
【００９３】  前記切り出された単位往復葉書用紙Ｓ２は、第二の折り畳み工程で横方向の折り線３２から二つ折りに折り畳まれ、図１３（Ａ）、（Ｂ）及び図１４（Ａ）、（Ｂ）に示すように、連接された往信葉書と返信葉書が平面に展開された状態となる。そしてその状態で、例えば複数のヒータパネルやヒートローラからなる接着装置等による接着工程で、加熱・加圧処理を施されることにより、対向する疑似接着予定面及び完全接着予定面がそれぞれ接着される。
【００９４】  前記接着工程から排出された平面に展開された状態の折り畳み往復葉書Ｊ２は、次に第三の折り畳み工程により、前記平面状態から図１１（Ａ）、（Ｂ）及び図１２（Ａ）、（Ｂ）に示すように最終の二つ折り状態に折り畳まれ折り畳み往復葉書として完成し投函されるのである。
【００９５】  なお本発明は、上記実施例に限られるものではない。
例えば、既述の各実施例は、疑似接着フィルムシート及び完全接着フィルムシートを使用したフィルム方式で説明されているが他の疑似接着媒体を使用しても構わない。
その場合、各工程をそれぞれの専用機による分業で済ませても構わない。例えば単位往復葉書用紙Ｓ１、Ｓ２に各種疑似接着媒体と完全接着媒体を被覆或いは塗布した後に折りと断裁工程を織り交ぜて最後に接着しも構わない。また先糊方式の場合、疑似接着媒体が塗布された用紙に印刷後、折りと断裁工程を織り交ぜて、接着工程の後に第三の折り工程を配置する必要があるが、その他の疑似接着媒体の場合第三の折り工程の配置にこだわる必要はない。
【符号の説明】
【００９６】
2019014219.tif 000007
Ｓ１、Ｓ２  単位折り畳み往復葉書用紙
Ｇ  疑似接着フィルムシート
Ｋ  完全接着フィルムシート
Ｖ  往信葉書
Ｗ  返信葉書
１、２、３、４、５、６、７、８、２１、２２、２３、２４、２５、２６、２７、２８  葉片
９、１０、１１、２９、３０、３１  縦方向の折り線
１２、３２  横方向の折り線
１３、３３  切取線
１４、３４  貫通孔
【図１】
2019014219.tif 000008
【図２】
2019014219.tif 000009
【図３】
2019014219.tif 000010
【図４】
2019014219.tif 000011
【図５】
2019014219.tif 000012
【図６】
2019014219.tif 000013
【図７】
2019014219.tif 000014
【図８】
2019014219.tif 000015
【図９】
2019014219.tif 000016
【図１０】
2019014219.tif 000017
【図１１】
2019014219.tif 000018
【図１２】
2019014219.tif 000019
【図１３】
2019014219.tif 000020
【図１４】
2019014219.tif 000021
【図１５】
2019014219.tif 000022
【図１６】
2019014219.tif 000023
【図１７】
2019014219.tif 000024
【図１８】
2019014219.tif 000025
【図１９】
2019014219.tif 000026
【図２０】
2019014219.tif 000027